(57)【特許請求の範囲】
【請求項１】
管路内に３本のケーブルが敷設され、その管路の管路口を止水するＣＶＴケーブル用高機能管路口止水装置であって、
３本のケーブルを挿通させるブロック体ケーブル挿通孔および締付ボルトを挿通させるブロック体ボルト挿通孔が設けられ、挿入方向と直角方向に複数個に所定の厚み幅で分割された状態で管路内に配置されるゴム製のシールブロック体と、
該シールブロック体の前後に備えられ、３本のケーブルを挿通させる締付盤ケーブル挿通孔および前記締付ボルトを挿通させる締付盤ボルト挿通孔が設けられた締付盤と、
３本のケーブル間の中央部の空洞部に配置され、３本のケーブルと接する辺の外形がそれぞれのケーブルの外形と略同一である芯材、および該芯材の表面に貼付され、それぞれのケーブルが接する箇所より長く形成されたパテテープとからなるシール材と、を有し、
最前方側の前記シールブロック体以外の前記シールブロック体のブロック体ボルト挿通孔を円周方向の長孔とし、該長孔と前記締付ボルトの相対位置が変化することにより、前記シールブロック体を回転可能としたことを特徴とするＣＶＴケーブル用高機能管路口止水装置。
【請求項２】
前記シールブロック体のブロック体ボルト挿通孔の長孔は、後方側に配される程円周方向に長い長孔として形成されていることを特徴とする請求項１記載のＣＶＴケーブル用高機能管路口止水装置。
【請求項３】
前記シールブロック体は挿入方向に１箇所以上の外周から中心に向かう切断箇所が設けられ、
最前方側の前記シールブロック体から偶数番目に配された挿入方向の切断箇所が略同一の前記シールブロック体と奇数番目に配された挿入方向の切断箇所が略同一の前記シールブロック体の各切断箇所を異ならして管路内に配置されることを特徴とする請求項１記載のＣＶＴケーブル用高機能管路口止水装置。
【請求項４】
前記締付盤は、挿入方向に切断され分割されたそれぞれの分割締付盤に２つ以上の前記締付盤ボルト挿通孔が設けられ、
前記分割締付盤に２つ以上設けられた前記締付盤ボルト挿通孔およびそれら締付盤ボルト挿通孔に対応して設けられた前記ブロック体ボルト挿通孔に前記締付ボルトを挿通させることにより前記締付盤を介し前記シールブロック体が圧接されることを特徴とする請求項３記載のＣＶＴケーブル用高機能管路口止水装置。
【請求項５】
最前方側の前記シールブロック体から奇数番目に配された前記シールブロック体は、ゴム硬度が略３０度のシールブロック体であり、
最前方側の前記シールブロック体から偶数番目に配された前記シールブロック体は、ゴム硬度が略７０度のシールブロック体であることを特徴とする請求項３または請求項４記載のＣＶＴケーブル用高機能管路口止水装置。
【請求項６】
管路の管路口を止水するＣＶＴケーブル用高機能管路口止水装置を用いた管路口止水工法であって、
最前方側の前記シールブロック体から偶数番目に配される前記シールブロック体と奇数番目に配される前記シールブロック体を各切断箇所を異ならして接合するとともに、該シールブロック体の前後に前記締付盤を接合し、前記締付盤ボルト挿通孔およびそれら該締付盤ボルト挿通孔に対応して設けられた前記ブロック体ボルト挿通孔に前記締付ボルトを挿通して組み立てられたＣＶＴケーブル用高機能管路口止水装置の１本の前記締付ボルトを前記締付盤ボルト挿通孔および前記ブロック体ボルト挿通孔から引き抜く締付ボルト引抜工程と、
管路口の３本のケーブル間の中央部の空洞部に前記シール材を取り付けるシール材取付工程と、
前記締付ボルト引抜工程により前記締付ボルトが引き抜かれた状態で、前記締付ボルトが挿通されていない箇所を開口させた開口部から前記ブロック体ケーブル挿通孔に３本のケーブルを挿入するケーブル挿入工程と、
該ケーブル挿入工程により３本のケーブルを挿通させた状態で、前記締付ボルトが挿通されていない前記締付盤ボルト挿通孔およびその締付盤ボルト挿通孔に対応する前記ブロック体ボルト挿通孔に前記締付ボルトを挿通させる締付ボルト残余挿通工程と、
該締付ボルト残余挿通工程により前記締付ボルトが挿通されていない前記締付盤ボルト挿通孔および前記ブロック体ボルト挿通孔に前記締付ボルトを挿通させた状態で、前記シール材取付工程により前記シール材が取り付けられた管路の管路口にＣＶＴケーブル用高機能管路口止水装置を挿入する管路口挿入工程と、
該管路口挿入工程により管路の管路口にＣＶＴケーブル用高機能管路口止水装置を挿入された状態で、前記締付盤ボルト挿通孔および前記ブロック体ボルト挿通孔に挿通されている前記締付ボルトを強く締め付けることにより前記締付盤を介し前記シールブロック体を圧接させる締付ボルト締付工程と、を有し、
前記ＣＶＴケーブル用高機能管路口止水装置により管路の管路口を止水させることを特徴とする請求項４記載のＣＶＴケーブル用高機能管路口止水装置を用いた管路口止水工法。
【発明の詳細な説明】
【技術分野】
【０００１】
本発明は、管路内にケーブルが敷設され、その管路の管路口を止水するＣＶＴケーブル用高機能管路口止水装置およびそれを用いた管路口止水工法に関する。
【背景技術】
【０００２】
従来から管路内にケーブルが敷設され、その管路の管路口を止水するＣＶＴケーブル用高機能管路口止水装置が用いられている。
【０００３】
この種のＣＶＴケーブル用高機能管路口止水装置（ケーブル用導管の防水装置）として、ケーブル導管  １００内に挿入配置された防水ゴム製のシールブロック体１０１に、少なくとも３本のケーブル類１０２を水密封止させた状態で挿通支持させるよう３つの貫通孔を開穿し、シールブロック体１０１の前後面にそれぞれ配置される複数の分割外周締付盤１０３相互間で締結部材１０４、１０５によってシールブロック体１０１を圧締可能としたケーブル用導管の防水装置であって、シールブロック体１０１に挿通されているケーブル類１０２それぞれの間の開放部１０６にシール材１０７を注入し密栓可能とするよう各貫通孔が互いに連通して成る連通挿通孔１０８を有する。そして、この連通挿通孔１０８は、シールブロック体１０１に形成された開放切込部１０９によって外部に連通され、各ケーブル類１０２が互いに接触可能となるように開放切込部１０９から連通挿通孔１０８内に挿通配置され、分割外周締付盤１０３の係合孔（図示略）から締結部材１０４を挿入係合し、ボルト挿入孔（図示略）を挿通させることにより開放部１０６にシール材１０７が注入封止されるというものであった（たとえば、特許文献１）。ここで、図１０は、従来のケーブル用導管の防水装置の正面図である。
【先行技術文献】
【特許文献】
【０００４】
【特許文献１】特開２００３−２７４５４５号公報
【発明の概要】
【発明が解決しようとする課題】
【０００５】
上記ＣＶＴケーブル用高機能管路口止水装置は、ＣＶＴケーブル（３本のケーブルを撚り纏めたもの）に用いられるものであるが、このＣＶＴケーブルの３本のケーブルは、３本のケーブルの中央部に三角形状の空洞を有するとともに、管路口毎３本のケーブルの撚り具合が異なるものである。しかしながら、従来のＣＶＴケーブル用高機能管路口止水装置では、管路口毎異なる３本のケーブルの撚り具合に対応して、３本のケーブルの隙間から漏水を止めることができなかった。
【０００６】
本発明は上記問題点に鑑みてなされたもので、撚り具合の異なる３本のケーブルのＣＶＴケーブルであっても、ケーブルとの隙間からの漏水を防止することができるＣＶＴケーブル用高機能管路口止水装置およびそれを用いた管路口止水工法を提供することを目的とする。
【課題を解決するための手段】
【０００７】
上記課題を解決し上記目的を達成するために、本発明のうち第１の態様に係るものは、管路内に３本のケーブルが敷設され、その管路の管路口を止水するＣＶＴケーブル用高機能管路口止水装置であって、３本のケーブルを挿通させるブロック体ケーブル挿通孔および締付ボルトを挿通させるブロック体ボルト挿通孔が設けられ、挿入方向と直角方向に複数個に所定の厚み幅で分割された状態で管路内に配置されるゴム製のシールブロック体と、シールブロック体の前後に備えられ、３本のケーブルを挿通させる締付盤ケーブル挿通孔および締付ボルトを挿通させる締付盤ボルト挿通孔が設けられた締付盤と、３本のケーブル間の中央部の空洞部に配置され、３本のケーブルと接する辺の外形がそれぞれのケーブルの外形と略同一である芯材、および芯材の表面に貼付され、それぞれのケーブルが接する箇所より長く形成されたパテテープとからなるシール材と、を有し、最前方側のシールブロック体以外のシールブロック体のブロック体ボルト挿通孔を円周方向の長孔とし、長孔と締付ボルトの相対位置が変化することにより、シールブロック体を回転可能としたことを特徴とするものである。
【０００８】
本発明によれば、３本のケーブルと接する辺の外形がそれぞれのケーブルの外形と略同一である芯材の表面にパテテープが貼付されたシール材が３本のケーブル間の中央部の空洞部に設けられ、そのパテテープをそれぞれのケーブルが接する箇所より長く形成させているので、３本のケーブル間の中央部の空洞部のケーブル外周に芯材表面のパテテープが密着することになり、３本のケーブル間の中央部の空洞部からの漏水を防止することができる。また、最前方側のシールブロック体以外のシールブロック体のブロック体ボルト挿通孔を円周方向の長孔としているので、３本のケーブルの撚り具合が異なる場合でも、ケーブルの撚り具合に対応して最前方側のシールブロック体以外のシールブロック体がそれぞれ回転するので、ケーブルとシールブロック体を密着させることができ管路からの漏水を防止することができる。
【０００９】
本発明のうち第２の態様に係るものは、第１の態様に係るＣＶＴケーブル用高機能管路口止水装置であって、シールブロック体のブロック体ボルト挿通孔の長孔は、後方側に配される程円周方向に長い長孔として形成されていることを特徴とするものである。
【００１０】
最前方側のシールブロック体と最後方側のケーブルの撚り度合が異なる場合においても、  本発明によれば、シールブロック体のブロック体ボルト挿通孔の長孔を後方側に配される程円周方向に長い長孔として形成されているので、そのケーブルの撚り具合に対応して最前方側のシールブロック体以外のシールブロック体がそれぞれ回転することにより、ケーブルとシールブロック体をより密着させ管路からの漏水をより完全に防止することができる。
【００１１】
本発明のうち第３の態様に係るものは、第１の態様に係るＣＶＴケーブル用高機能管路口止水装置であって、シールブロック体は挿入方向に１箇所以上の外周から中心に向かう切断箇所が設けられ、最前方側のシールブロック体から偶数番目に配された挿入方向の切断箇所が略同一のシールブロック体と奇数番目に配された挿入方向の切断箇所が略同一のシールブロック体の各切断箇所を異ならして管路内に配置されることを特徴とするものである。
【００１２】
本発明によれば、最前方側のシールブロック体から偶数番目に配された挿入方向の切断箇所が略同一のシールブロック体と奇数番目に配された挿入方向の切断箇所が略同一のシールブロック体の各切断箇所を異ならしているので、奇数番目（または偶数番面）のシールブロック体からその隣の偶数番目（または奇数番目）のシールブロック体に締付力が伝達し、奇数番目（または偶数番面）のシールブロック体から偶数番目（または奇数番目）のシールブロック体全体に締付力が万遍なく伝えることができる。これにより、奇数番目（または偶数番面）のシールブロック体から偶数番目（または奇数番目）のシールブロック体内の締付力の応力分布差が少なくなり、シールブロック体の止水効果を向上させることができる。
【００１３】
本発明のうち第４の態様に係るものは、第３の態様に係るＣＶＴケーブル用高機能管路口止水装置であって、締付盤は、挿入方向に切断され分割されたそれぞれの分割締付盤に２つ以上の締付盤ボルト挿通孔が設けられ、分割締付盤に２つ以上設けられた締付盤ボルト挿通孔およびそれら締付盤ボルト挿通孔に対応して設けられたブロック体ボルト挿通孔に締付ボルトを挿通させることにより締付盤を介しシールブロック体が圧接されることを特徴とするものである。
【００１４】
本発明によれば、分割締付盤に２つ以上設けられた締付盤ボルト挿通孔およびそれら締付盤ボルト挿通孔に対応して設けられたブロック体ボルト挿通孔に締付ボルトを挿通させることにより、分割締付盤全体に締付ボルトの締付力を満遍なく伝えることができ、奇数番目（または偶数番面）のシールブロック体から偶数番目（または奇数番目）のシールブロック体内の締付力の応力分布差がさらに少なくなり、シールブロック体の止水効果を向上させることができる。
【００１５】
本発明のうち第５の態様に係るものは、第３または第４の態様に係るＣＶＴケーブル用高機能管路口止水装置であって、最前方側のシールブロック体から奇数番目に配されたシールブロック体は、ゴム硬度が略３０度のシールブロック体であり、最前方側のシールブロック体から偶数番目に配されたシールブロック体は、ゴム硬度が略７０度のシールブロック体であることを特徴とするものである。
【００１６】
本発明によれば、硬く変形が少ないゴム硬度が略７０度の最前方側のシールブロック体から偶数番目に配されたシールブロック体の隣りに、ゴム硬度が略３０度の最前方側のシールブロック体から奇数番目に配されたシールブロック体を配しているので、最前方側のシールブロック体から奇数番目に配されたシールブロック体が締付盤と最前方側のシールブロック体から偶数番目に配されたシールブロック体に締め付けられることにより締付盤の締付力が最前方側のシールブロック体から奇数番目に配されたシールブロック体全体に波及し、管路内でその径方向に膨張拡大し、管路内周面およびブロック体ケーブル挿通孔に挿通されたケーブル外周面に各々強く押圧することができる。これにより、シールブロック体の止水効果を向上させることができる。
【００１７】
本発明のうち第６の態様に係るものは、第４の態様に係るＣＶＴケーブル用高機能管路口止水装置を用いた管路口止水工法であって、最前方側のシールブロック体から偶数番目に配されるシールブロック体と奇数番目に配されるシールブロック体を各切断箇所を異ならして接合するとともに、そのシールブロック体の前後に締付盤を接合し、締付盤ボルト挿通孔およびそれらの締付盤ボルト挿通孔に対応して設けられた前記ブロック体ボルト挿通孔に締付ボルトを挿通して組み立てられたＣＶＴケーブル用高機能管路口止水装置の１本の締付ボルトを締付盤ボルト挿通孔およびブロック体ボルト挿通孔から引き抜く締付ボルト引抜工程と、管路口の３本のケーブル間の中央部の空洞部にシール材を取り付けるシール材取付工程と、締付ボルト引抜工程により締付ボルトが引き抜かれた状態で、締付ボルトが挿通されていない箇所を開口させた開口部からブロック体ケーブル挿通孔に３本のケーブルを挿入するケーブル挿入工程と、ケーブル挿入工程により３本のケーブルを挿通させた状態で、締付ボルトが挿通されていない締付盤ボルト挿通孔およびその締付盤ボルト挿通孔に対応するブロック体ボルト挿通孔に締付ボルトを挿通させる締付ボルト残余挿通工程と、締付ボルト残余挿通工程により締付ボルトが挿通されていない締付盤ボルト挿通孔およびブロック体ボルト挿通孔に締付ボルトを挿通させた状態で、シール材取付工程によりシール材が取り付けられた管路の管路口にＣＶＴケーブル用高機能管路口止水装置を挿入する管路口挿入工程と、管路口挿入工程により管路の管路口にＣＶＴケーブル用高機能管路口止水装置を挿入された状態で、締付盤ボルト挿通孔およびブロック体ボルト挿通孔に挿通されている締付ボルトを強く締め付けることにより締付盤を介しシールブロック体を圧接させる締付ボルト締付工程と、を有し、ＣＶＴケーブル用高機能管路口止水装置により管路の管路口を止水させることを特徴とするものである。
【発明の効果】
【００１８】
以上のように本発明のＣＶＴケーブル用高機能管路口止水装置によれば、３本のケーブルの撚り具合の異なるＣＶＴケーブルであっても、ケーブルとの隙間からの漏水を防止することができる。
【図面の簡単な説明】
【００１９】
【図１】本発明の一実施形態におけるＣＶＴケーブル用高機能管路口止水装置の設置状況を示す概略図である。
【図２】同ＣＶＴケーブル用高機能管路口止水装置の分解斜視図である。
【図３】（ａ）同ＣＶＴケーブル用高機能管路口止水装置の最前方側のシールブロック体の正面図である。                                                                （ｂ）同ＣＶＴケーブル用高機能管路口止水装置の最前方側から２番目（偶数番目）のシールブロック体の正面図である。                                          （ｃ）同ＣＶＴケーブル用高機能管路口止水装置の最前方側から３番目（奇数番目）のシールブロック体の正面図である。
【図４】（ａ）同ＣＶＴケーブル用高機能管路口止水装置の側面図である。                （ｂ）同ＣＶＴケーブル用高機能管路口止水装置の正面図である。
【図５】（ａ）同ＣＶＴケーブル用高機能管路口止水装置のシール材の分解斜視図である。                                                                              （ｂ）同ＣＶＴケーブル用高機能管路口止水装置のシール材の正面図である。      （ｃ）同ＣＶＴケーブル用高機能管路口止水装置のシール材の側面図である。
【図６】同ＣＶＴケーブル用高機能管路口止水装置の側面を開口させた状態を示す斜視図である。
【図７】同ＣＶＴケーブル用高機能管路口止水装置のシールブロック体の回転状態を示す図である。
【図８】同ＣＶＴケーブル用高機能管路口止水装置を用いた管路口止水工法の工程図である。
【図９】同ＣＶＴケーブル用高機能管路口止水装置を管路に取付けた状態を示す一部断面図である。
【図１０】従来のケーブル用導管の防水装置の正面図である。
【発明を実施するための形態】
【００２０】
以下、本発明のＣＶＴケーブル用高機能管路口止水装置の一実施形態について図面を参照にしながら説明する。図１は本発明の一実施形態におけるＣＶＴケーブル用高機能管路口止水装置の設置状況を示す概略図である。
【００２１】
図１に示すように、ＣＶＴケーブル用高機能管路口止水装置１は、管路２内にＣＶＴケーブルである３芯のケーブル（電線）３が敷設され、その管路２の管路口４を止水するものである。具体的には、地中に埋設された管路２に敷設されたケーブル３の適宜長さの箇所にマンホール５（人孔）が設けられているが、そのマンホール５への管路２の開口部である管路口４からマンホール５内に水が入るのを防ぐものである。ここで、ケーブル接続部３４は、マンホール５内で左右のケーブル３を接続する部材である。
【００２２】
次に、ＣＶＴケーブル用高機能管路口止水装置１の構造について説明する。ここで、図２は本発明の一実施形態におけるＣＶＴケーブル用高機能管路口止水装置の分解斜視図であり、図３（ａ）は同ＣＶＴケーブル用高機能管路口止水装置の最前方側のシールブロック体の正面図であり、図３（ｂ）は同ＣＶＴケーブル用高機能管路口止水装置の最前方側から２番目（偶数番目）のシールブロック体の正面図であり、図３（ｃ）は同ＣＶＴケーブル用高機能管路口止水装置の最前方側から３番目（奇数番目）のシールブロック体の正面図であり、図４（ａ）は同ＣＶＴケーブル用高機能管路口止水装置の側面図であり、図４（ｂ）は同ＣＶＴケーブル用高機能管路口止水装置の正面図であり、図５（ａ）は同ＣＶＴケーブル用高機能管路口止水装置のシール材の分解斜視図であり、図５（ｂ）は同ＣＶＴケーブル用高機能管路口止水装置のシール材の正面図であり、図５（ｃ）は同ＣＶＴケーブル用高機能管路口止水装置のシール材の側面図である。
【００２３】
図２に示すように、ＣＶＴケーブル用高機能管路口止水装置１は、シールブロック体６（６ａ、６ｂ、６ｃ）と、締付盤７（７ａ、７ｂ）と、締付ボルト８と、シール材９を備えている。ここで、ケーブル３は、３本のケーブルに撚りを加えて一体化させた３芯のケーブル（ＣＶＴケーブル）である。そして、シールブロック体６には、３芯のケーブル３の撚りに合わせて内周面に孔が形成されたブロック体ケーブル挿通孔１０が設けられ、また、締付盤７（締付盤７ａ、締付盤７ｂ）には、３芯のケーブル３が挿通される締付盤ケーブル挿通孔１２が設けられている。具体的な内容は後述する。ここで、シールブロック体６ａは最前方側（管路２最奥側）のシールブロック体であり、シールブロック体６については管路２奥側から管路口４に向かって６ａ、６ｂ、６ｃを付し、締付盤７については管路２奥側から管路口４に向かって７ａ、７ｂを付して説明する。
【００２４】
シールブロック体６は、エチレンプロピレンゴムを材質とし円柱形状に形成され、ケーブル３が挿通されるブロック体ケーブル挿通孔１０および締付ボルト８が挿通されるブロック体ボルト挿通孔１１がそれぞれ設けられている（図３参照）。そして、管路２への挿入方向（管路方向に沿う方向）に外周から中心に向かう切断箇所が１箇所設けられている。なお、本実施形態では、切断箇所を１箇所設けた状態で管路２内に配置させるようにしたが、これに限らず、切断箇所を複数箇所（例えば、３つ、５つ、７つ等の奇数箇所、２つ、４つ、６つ等の偶数箇所など）設けた状態で管路２内に配置させるようにしてもよい。シールブロック体６に設けられたブロック体ボルト挿通孔１１は、シールブロック体６の円周方向等間隔で形成されている。なお、本実施形態では、ブロック体ボルト挿通孔１１をシールブロック体６の円周方向等間隔で形成されたが、これに限らず、必ずしもシールブロック体６の円周方向等間隔でなくてもよい。
【００２５】
このシールブロック体６は、シールブロック体６ａのゴム硬度は略３０度、シールブロック体６ｂのゴム硬度は略７０度、シールブロック体６ｃのゴム硬度は略３０度のように、最前方側のシールブロック体６ａから奇数番目に配されたシールブロック体６ａ、６ｃのゴム硬度を略３０度とし、最前方側のシールブロック体６ａから偶数番目に配されたシールブロック体６ｂのゴム硬度を略７０度とし、それぞれ隣りのシールブロック体６のゴム硬度より硬く、軟らかくなるように交互に配列している（図４（ａ）参照）。なお、本実施形態では、シールブロック体６ａ、６ｃよりゴム硬度が硬いシールブロック体６ｂのゴム硬度を略７０度とし、またシールブロック体６ｂよりゴム硬度が軟らかいシールブロック６ａ、６ｃのゴム硬度を略３０度としたが、これに限らず、シールブロック体６ａ、６ｃのゴム硬度は比較的軟らかいゴム硬度であれば他のゴム硬度でもよく、またシールブロック体６ｂのゴム硬度は比較的硬いゴム硬度であれば他のゴム硬度にしてもよい。さらに、シールブロック６ａ、６ｃ、シールブロック体６ｂのゴム硬度をそれぞれ異なったゴム硬度にしてもよい。また、それぞれのシールブロック体６ａ、６ｃ、シールブロック体６ｂは、挿入方向に外周から中心に向かう切断箇所が１箇所設けられ、その切断されたシールブロック体６ａ、６ｃ、シールブロック体６ｂからシールブロック体６が構成される（図３参照）。ここで、上述したように、シールブロック体６は管路２への挿入方向（管路方向に沿う方向）に外周から中心に向かう切断箇所が１箇所設けられているが、シールブロック体６が挿入方向に２箇所以上（たとえば、３箇所）の外周から中心に向かう切断箇所が設けられている場合は、シールブロック体６は切断されたところで分割され、その分割された分割シールブロック体を組み合わせてシールブロック体６ａ、６ｃ、シールブロック体６ｂが構成される。
【００２６】
また、シールブロック体６のブロック体ボルト挿通孔１１については、最前方側のシールブロック体６ａが締付ボルト８より断面形状が少し大きい円形状（図３（ａ）参照）であり、その最前方側のシールブロック体６ａ以外のシールブロック体６ｂ、６ｃのブロック体ボルト挿通孔１１ｂ、１１ｃは円周方向の長孔として形成されている（図３（ｂ）、図３（ｃ）参照）。具体的には、ブロック体ボルト挿通孔１１ｂ、１１ｃの長孔は、後方側に配される程円周方向に長い長孔として形成されている。すなわち、長孔の円周方向の長さは、ブロック体ボルト挿通孔１１ｂよりブロック体ボルト挿通孔１１ｃの方が長く形成されている（図３（ｂ）、図３（ｃ）参照）。
【００２７】
締付盤７（締付盤７ａ、締付盤７ｂ）は、ナイロンモノマーを大気圧下で重合・成型(キャスト）したＭＣナイロン（登録商標）またはステンレス鋼を材質とし円柱形状に形成され、ケーブル３が挿通される締付盤ケーブル挿通孔１２および締付ボルト８が挿通される締付盤ボルト挿通孔１３がそれぞれ設けられている（図２参照）。そして、締付盤７は挿入方向に３箇所で切断され、分割されたそれぞれの分割締付盤を組み合わせて締付盤７が構成されている（図４（ｂ）参照）。ここで、締付盤７に設けられた締付盤ボルト挿通孔１３は、締付盤７の円周方向等間隔で形成されているが、これに限らず、締付盤７の円周方向等間隔でなくてもよい。なお、本実施形態では、締付盤７を挿入方向に３箇所で切断し、挿入方向に３つに分割させたが、これに限らず、締付盤７を挿入方向に２つ以上（例えば、４つ）に分割したものであれば分割の数は問わない。また、本実施形態では、各分割締付盤に３つの締付盤ボルト挿通孔１３を設けたが、これに限らず、各分割締付盤に２つ以上の締付盤ボルト挿通孔１３が設けたものであれば締付盤ボルト挿通孔１３の数は問わない。ここで、締付盤７の締付盤ボルト挿通孔１３は、締付ボルト８より断面形状が少し大きい円形状である。
【００２８】
ＣＶＴケーブル用高機能管路口止水装置１は、後方の締付盤７ｂの締付盤ケーブル挿通孔１２からシールブロック体６のブロック体ケーブル挿通孔１０を介し前方の締付盤７ａの締付盤ケーブル挿通孔１２にケーブル３を挿通させ、そして、シールブロック体６のブロック体ボルト挿通孔１１および締付盤７の締付盤ボルト挿通孔１３にそれぞれ締付ボルト８を挿入して、締付盤７によりシールブロック体６が締め付けられる（図２参照）。これにより、締付盤７によりシールブロック体６ａ、６ｃが径方向に膨張拡大され、管路２の内周面に強く圧接される（図９参照）。なお、本実施形態では、締付盤７の締付盤ボルト挿通孔１３の内周面に螺子孔を刻設して、締付ボルト８で締め付けるようにしたが、これに限らず、ボルト挿通孔１３の内周面に螺子孔を刻設せず、締付ボルト８とナット（図示略）により締め付けるようにしてもよい。
【００２９】
図３に示すように、シールブロック体６は挿入方向に外周から中心に向かう切断箇所が１箇所設けられ、それぞれ切断されたシールブロック体６ｂ（最前方側のシールブロック体６ａから偶数番目に配されたシールブロック体６ｂ）とシールブロック体６ａ、６ｃ（最前方側のシールブロック体６ａから奇数番目に配されたシールブロック体）は、切断箇所を異ならして管路２内に配置されている（図２参照）。具体的には、シールブロック体６ｂのブロック体ボルト挿通孔１１とシールブロック体６ａ、６ｃのブロック体ボルト挿通孔１１とを円周方向に１つずらして切断箇所を設け管路２内に配置させている。このように、シールブロック体６ｂの切断箇所とシールブロック体６ａ、６ｃの切断箇所を異ならしているので、シールブロック体６ｂの締付力が隣りのシールブロック体６ａ、６ｃに伝達し、シールブロック体６ａ、６ｃに部分的な応力分布が生じないようにすることができる。これにより、シールブロック体６ａ、６ｃ内の締付力の応力分布差が少なくなり、シールブロック体６の止水効果を向上させることができる。また、締付盤７の挿入方向の切断箇所とシールブロック体６ｂの切断箇所を略同一にして管路２内に配置されている。このように、締付盤７の挿入方向の切断箇所とシールブロック体６ｂの挿入方向の切断箇所を略同一にしているので、締付盤７の締付力が直接シールブロック体６ｂに伝わり、締付盤７の締付力をシールブロック体６ｂに効率よく伝えることができる。なお、本実施形態では、締付盤７の挿入方向の切断箇所とシールブロック体６ｂの切断箇所を略同一にしたが、これに限らず、異なる位置にしてもよい。また、３つに分割された分割締付盤の３つの締付盤ボルト挿通孔１３およびそれら締付盤ボルト挿通孔１３に対応して設けられたブロック体ボルト挿通孔１１に締付ボルト８を挿通することにより、部分的な応力分布を生じさせず、分割締付盤７全体に締付ボルト８の締付力を満遍なく伝えることができ、シールブロック体６ａ、６ｃ内の締付力の応力分布差をさらに少なくすることができる。
【００３０】
図５に示すように、シール材９は、３本のケーブル３の間の中央部の空洞部１４に配置されるもので、芯材１５とパテテープ１６から構成されている（図５（ａ）参照）。芯材１５は、エチレン・プロピレン・ジエンゴム（ＥＰＤＭ）の軟ゴム製で、空洞部１４に配置された場合の３本のケーブル３と接する辺の外形がそれぞれのケーブル３の外形と略同一の形状をしている（図７参照）。このような形状にすることにより、シール材９が空洞部に設置された場合に、ケーブル３外周に密着させることができる。また、パテテープ１６は、変形可能なブチルゴム製のテープであり、芯材１５の表面に貼付され、それぞれのケーブル３が接する箇所より長く形成されている。具体的には、パテテープ１６の一端はケーブル３が接する箇所より少し長く、他端は一端よりさらに長く形成されている（図７参照）。本実施形態では、芯材１５の端部の長さについては、それぞれのケーブル３が接する箇所までの長さとほぼ同等で形成されている（図７参照）。そして、パテテープ１６は芯材１５の各頂点（端部）より長く形成されている。このように、芯材１５の表面に貼付されたパテテープ１６から構成されるシール材９を３本のケーブル３の間の中央部の空洞部１４に設け、そのパテテープ１６をそれぞれのケーブル３が接する箇所より長く形成させているので、３本のケーブル３の間の中央部の空洞部１４のケーブル３外周に芯材１５表面のパテテープ１６を密着させることができる。
【００３１】
次に、本発明のＣＶＴケーブル用高機能管路口止水装置のシールブロック体内にケーブルを挿入させる方法ついて説明する。図６は本発明の一実施形態におけるＣＶＴケーブル用高機能管路口止水装置の側面を開口させた状態を示す斜視図である。ここで、図６はシールブロック体６のみ図示している。
【００３２】
図６に示すように、ＣＶＴケーブル用高機能管路口止水装置１のシールブロック体６内にケーブル３を挿入するためには、ＣＶＴケーブル用高機能管路口止水装置１から締付ボルト８の引き抜き、その引き抜かれた締結ボルト８の箇所を開口させる。そして、その開口させた開口部からブロック体ケーブル挿通孔１０に３本のケーブル３が挿入される。ここで、本実施形態では、シールブロック体６ｂのブロック体ボルト挿通孔１１ｂとシールブロック体６ａ、６ｃのブロック体ボルト挿通孔１１ａ、１１ｃとを１つずらして切断箇所を設け管路２内に配置されているので、シールブロック体６の端部のブロック体ボルト挿通孔１１から１本の締付ボルト８を取り外すことにしているが、シールブロック体６ｂのブロック体ボルト挿通孔１１とシールブロック体６ａ、６ｃのブロック体ボルト挿通孔１１とを２つずらして切断箇所を設け管路２内に配置される場合は、シールブロック体６の端部から２本のブロック体ボルト挿通孔１１の締付ボルト８を取り外すことになる。３本以上の場合も同様であるので、説明は省略する。そして、３本のケーブル３を挿通させた後は、締付ボルト８が引き抜かれた締付盤ボルト挿通孔１３およびブロック体ボルト挿通孔１１に締付ボルト８を挿通させる。
【００３３】
次に、本発明のＣＶＴケーブル用高機能管路口止水装置のシールブロック体の回転方法について説明する。ここで、図７は、本発明の一実施形態におけるＣＶＴケーブル用高機能管路口止水装置のシールブロック体の回転状態を示す図である。なお、ＣＶＴケーブル用高機能管路口止水装置１のシールブロック体６の回転方法については、最前方側のシールブロック体６ａから２番目に配されたシールブロック体６ｂを用いて説明するが、シールブロック体６ｃの回転方法も同様である。
【００３４】
最前方側のシールブロック体６ａ以外のシールブロック体６ｂ、６ｃのブロック体ボルト挿通孔１１は、円周方向の長孔として形成されている。このことから、ＣＶＴケーブル用高機能管路口止水装置１のブロック体ケーブル挿通孔１０に、ＣＶＴケーブル（３本のケーブルを撚り纏めたもの）の撚り具合が一致しないケーブル３が挿入された場合でも、ケーブル３の撚り具合に対応して最前方側のシールブロック体６ａ以外のシールブロック体６ｂ、６ｃが長孔と締付ボルト８の相対位置が変化することにより、シールブロック体６ｂ、６ｃが回転することとなる。具体的には、最前方側のシールブロック体６ａと管路口４側ではケーブル３の撚り度合が異なる場合があるが、本実施形態のＣＶＴケーブル用高機能管路口止水装置１のシールブロック体６ｂ、６ｃのブロック体ボルト挿通孔１１の長孔は、後方側に配される程円周方向に長い長孔として形成されているので、そのケーブル３の撚り具合に対応して最前方側のシールブロック体６ａ以外のシールブロック体６ｂ、６ｃの管路口４側が回転することになり、ケーブル３とシールブロック体６ｂ、６ｃを密着させることができる。これにより、管路２からの漏水をより完全に防止することができる。
【００３５】
次に、本発明のＣＶＴケーブル用高機能管路口止水装置を用いた管路口止水工法について説明する。ここで、図８は本発明の一実施形態におけるＣＶＴケーブル用高機能管路口止水装置を用いた管路口止水工法の工程図であり、図９は同ＣＶＴケーブル用高機能管路口止水装置を管路に取付けた状態を示す一部断面図である。
【００３６】
まずＳ１において、ＣＶＴケーブル用高機能管路口止水装置１の止水装置組立工程が実施される。ここで、このＣＶＴケーブル用高機能管路口止水装置１の組み立ては、工事現場以外の工場や事務所などで行われる場合が多い。ＣＶＴケーブル用高機能管路口止水装置１の組み立ては、それぞれのシールブロック体６を最前方側のシールブロック体６ａから偶数番目に配されるゴム硬度が略７０度のシールブロック体６ｂと奇数番目に配されるゴム硬度が略３０度のシールブロック体６ａ、６ｃの各切断箇所を異ならして接合し、そのシールブロック体６の前後に締付盤７の挿入方向の切断箇所とシールブロック体６ｂの挿入方向の切断箇所を略同一にして締付盤７を接合させる。そして、締付盤ボルト挿通孔１３およびブロック体ボルト挿通孔１１に締付ボルト８を挿通させて組み立てられる。なお、組み立てられた状態のＣＶＴケーブル用高機能管路口止水装置１が存在する場合は、この工程は不要であるので、この工程は任意の工程である。Ｓ1の工程が終了するとＳ２の工程に進む。
【００３７】
Ｓ２において、締付ボルト引抜工程が実施される。この締付ボルト引抜工程では、止水装置組立工程で組み立てられたＣＶＴケーブル用高機能管路口止水装置１の１本の締付ボルト８が締付盤ボルト挿通孔１３およびブロック体ボルト挿通孔１１から引き抜かれる。具体的には、シールブロック体６の端部のブロック体ボルト挿通孔１１の締付ボルト８が引き抜かれる。ここで、このシールブロック体６の端部のブロック体ボルト挿通孔１１から１本の締付ボルト８を引き抜くのは、上述したように、シールブロック体６ｂのブロック体ボルト挿通孔１１とシールブロック体６ａ、６ｃのブロック体ボルト挿通孔１１とを１つずらして切断箇所を設け管路２内に配置されるようにしているからである。Ｓ２の工程が終了するとＳ３の工程に進む。
【００３８】
Ｓ３において、シール材取付工程が実施される。このシール材取付工程では、管路口４の３本のケーブル３の間の中央部の空洞部１４にシール材９が取り付けられる。具体的には、３本のケーブル３の間の中央部には空洞部１４があり、その管路口４の管路２側の空洞部１４にシール材９が取り付けられる。Ｓ３の工程が終了するとＳ４の工程に進む。
【００３９】
Ｓ４において、ケーブル挿入工程が実施される。このケーブル挿入工程では、締付ボルト引抜工程により締付ボルト８が引き抜かれた箇所を開口させた開口部からブロック体ケーブル挿通孔１０に３本のケーブル３が挿入される。具体的には、締付ボルト引抜工程により締付ボルト８が引き抜かれたところのシールブロック体６の切断箇所を広げて、その広げられた開口部から３本のケーブル３が挿入される。Ｓ４の工程が終了するとＳ５の工程に進む。
【００４０】
Ｓ５において、締付ボルト残余挿入工程が実施される。この締付ボルト残余挿入工程では、ケーブル挿入工程により３本のケーブル３を挿通させた状態で、締付ボルト８が挿通されていない締付盤ボルト挿通孔１３およびブロック体ボルト挿通孔１１に締付ボルト８が挿通される。換言すると、締付ボルト引抜工程により締付ボルト８が引き抜かれたところの締付盤ボルト挿通孔１３およびブロック体ボルト挿通孔１１に締付ボルト８が挿通される。Ｓ５の工程が終了するとＳ６の工程に進む。
【００４１】
Ｓ６において、管路口挿入工程が実施される。この管路口挿入工程では、すべての締付盤ボルト挿通孔１３およびブロック体ボルト挿通孔１１に締付ボルト８が挿通されたＣＶＴケーブル用高機能管路口止水装置１が、シール材取付工程によりシール材９が取り付けられた管路２の管路口４に挿入される。具体的には、管路口４の管路２側のシール材９が取り付けられた箇所の３本のケーブル３の周りにＣＶＴケーブル用高機能管路口止水装置１が取り付けられる。この場合、ＣＶＴケーブルの３本のケーブル３の撚り具合が異なるが、本実施形態のＣＶＴケーブル用高機能管路口止水装置１は、最前方側のシールブロック体６ａ以外のシールブロック体６ｂ、６ｃのブロック体ボルト挿通孔１１を円周方向の長孔としているので、３本のケーブル３の撚り具合が異なる場合でも、ケーブル３の撚り具合に対応して最前方側のシールブロック体６ａ以外のシールブロック体６ｂ、６ｃが長孔と締付ボルト８の相対位置が変化することにより、シールブロック体６ｂ、６ｃが回転し、ケーブル３とシールブロック体６を密着させることができる。具体的には、最前方側のシールブロック体６ａと管路口４側ではケーブル３の撚り度合が異なる場合があるが、本実施形態のＣＶＴケーブル用高機能管路口止水装置１のシールブロック体６ｂ、６ｃのブロック体ボルト挿通孔１１の長孔は、後方側に配される程円周方向に長い長孔として形成されているので、そのケーブル３の撚り具合に対応して最前方側のシールブロック体６ａ以外のシールブロック体６ｂ、６ｃが管路口４側の方が多く回転することになり、ケーブル３とシールブロック体６ｂ、６ｃを密着させ管路２からの漏水をより完全に防止することができる。
【００４２】
Ｓ７において、管路口挿入工程により管路２の管路口４にＣＶＴケーブル用高機能管路口止水装置１を挿入させた状態で、締付盤ボルト挿通孔１３およびブロック体ボルト挿通孔１１に挿通されている締付ボルト８を強く締め付けることにより締付盤７を介しシールブロック体６が圧接される（図９参照）。
【００４３】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【００４４】
以下、本発明の変形例について説明する。
【００４５】
本実施形態では、管路２の最奥側のシールブロック体を最前方側のシールブロック体としたが、これに限らず、管路２の管路口４側のシールブロック体を最前方側のシールブロック体としてもよい。この場合においても、本実施形態で説明した内容と同様の作用効果を奏することができる。この場合、シールブロック体６については管路２の管路口４から奥側に向かってシールブロック体６ａ、シールブロック体６ｂ、シールブロック体６ｃとなり、また締付盤７については管路２の管路口４から奥側に向かって締付盤７ａ、締付盤７ｂとなる。
【符号の説明】
【００４６】
１  ＣＶＴケーブル用高機能管路口止水装置
２  管路
３  ケーブル
４  管路口
５  マンホール
６  シールブロック体
７  締付盤
８  締付ボルト
９  シール材
１０  ブロック体ケーブル挿通孔
１１  ブロック体ボルト挿通孔
１２  締付盤ケーブル挿通孔
１３  締付盤ボルト挿通孔
１４  空洞部
１５  芯材
１６  パテテープ
３４  ケーブル接続部
【図１】
0006319840.tif 000002
【図２】
0006319840.tif 000003
【図３】
0006319840.tif 000004
【図４】
0006319840.tif 000005
【図５】
0006319840.tif 000006
【図６】
0006319840.tif 000007
【図７】
0006319840.tif 000008
【図８】
0006319840.tif 000009
【図９】
0006319840.tif 000010
【図１０】
0006319840.tif 000011